(57)【要約】表示装置（８１）に信号接続（７２）されたデータプロセッサ（７１）とデータプロセッサに信号接続（５２，５２Ａ）された入力装置（５１，５１Ａ）とを有し、入力装置（５１，５１Ａ）がカーソル動作を制御する人によって操作（２１）される情報システムと共に使用されるプライバシープロダクトは、データプロセッサに信号接続（１４）されたコンピュータ可読担持媒体（１１）を有する。媒体（１１）は、プロセッサに次の人によってはカーソルパス（３１）と区別できないシャフパス（３１Ａ）を表示装置に表示（８２）させる、シャフコンポーネント（１２）を有する。
2004512548.tif 000002
【特許請求の範囲】
【請求項１】
データプロセッサと、
データプロセッサに信号接続された表示装置と、
データプロセッサに信号接続された入力装置と、該入力装置はカーソル動作を制御する人によって操作され、該入力装置はデータプロセッサに動作信号を送り、データプロセッサは該動作信号を用いて表示装置に送られる表示信号のカーソルコンポーネントを生成し、カーソルコンポーネントは表示装置にカーソル動作を表すカーソルパスを表示させることと、を備えた情報システムと共に使用されるプライバシープロダクトであって、
データプロセッサに信号接続されたコンピュータ可読信号担持媒体と、
媒体のシャフコンポーネントと、該シャフコンポーネントはデータプロセッサにシャフコンポーネントを表示信号へ追加させ、該シャフコンポーネントは次の人によってはカーソルパスと区別できないシャフパスを表示装置に表示させることと、を備えたプロダクト。
【請求項２】
カーソルパスが明滅するカーソルを含み、シャフパスが明滅するシャフカーソルを含む、請求項１に記載のプロダクト。
【請求項３】
カーソルパスが形が変化するカーソルを含み、シャフパスは形が変化するシャフカーソルを含む、請求項１に記載のプロダクト。
【請求項４】
明滅するカーソルの形が変化し、明滅するシャフカーソルの形が変化する、請求項２に記載のプロダクト。
【請求項５】
媒体のセグメントコンポーネントをさらに備え、該セグメントコンポーネントは、カーソルパスがカーソル動作セグメントを表すカーソルパスセグメントを表示装置に表示させるように、データプロセッサに表示信号のカーソルコンポーネントをセグメント化させる、請求項１に記載のプロダクト。
【請求項６】
データプロセッサと、
データプロセッサに信号接続された表示装置と、
データプロセッサに信号接続された入力装置と、該入力装置はカーソル動作を制御する人によって操作され、該入力装置はデータプロセッサに動作信号を送り、データプロセッサは動作信号を用いて表示装置に送られる表示信号のカーソルコンポーネントを生成し、カーソルコンポーネントは表示装置にカーソル動作を表わすカーソルパスを表示させることと、
データプロセッサに信号接続された次の入力装置と、該次の入力装置はカーソル動作を制御する次の人によって操作され、該次の入力装置はデータプロセッサに次の動作信号を送り、データプロセッサは該次の動作信号を用いて表示信号の次のカーソルコンポーネントを生成し、次のカーソルコンポーネントは次のカーソル動作を表わす次のカーソルパスを表示装置に表示させることと、を備えた情報システムと共に使用されるプライバシープロダクトであって、
データプロセッサに信号接続されたコンピュータ可読信号担持媒体と、
媒体のシャフコンポーネントと、該シャフコンポーネントはデータプロセッサにシャフコンポーネントを表示信号へ追加させ、該シャフコンポーネントは次の人によってはカーソルパスと区別できないシャフパスを表示装置に表示させ、該シャフコンポーネントは前記の人によってはカーソルパスと区別できない次のシャフパスを表示装置に表示させることと、を備えたプロダクト。
【請求項７】
媒体のセグメントコンポーネントをさらに備え、該セグメントコンポーネントは、表示信号がカーソル動作セグメントと次のカーソル動作セグメントを表すカーソルパスセグメントと次のカーソルパスセグメントを表示装置に表示させるように、データプロセッサに表示信号のカーソルコンポーネントと表示信号の次のカーソルコンポーネントをセグメント化させる、請求項６に記載のプロダクト。
【請求項８】
データプロセッサと、
データプロセッサに信号接続された表示装置と、
データプロセッサに信号接続された入力装置と、該入力装置はカーソル動作を制御する人によって操作され、該入力装置はデータプロセッサに動作信号を送り、データプロセッサは動作信号を用いて表示信号に送られる表示信号のカーソルコンポーネントを生成し、カーソルコンポーネントはカーソル動作を表すカーソルパスを表示装置に表示させることと、
データプロセッサに信号接続された次の入力装置と、該次の入力装置はカーソル動作を制御する次の人によって操作され、該次の入力装置はデータプロセッサに動作信号を送り、データプロセッサは該次の動作信号を用いて表示信号の次のカーソルコンポーネントを生成し、次のカーソルコンポーネントは次のカーソル動作を表わす次のカーソルパスを表示装置に表示させることと、を備えた情報システムと共に使用されるプライバシープロダクトであって、
前記プライバシープロダクトは、
データプロセッサに信号接続されたコンピュータ可読信号担持媒体と、
媒体のシャフコンポーネントと、該シャフコンポーネントはデータプロセッサにシャフコンポーネントを表示信号へ追加させ、該シャフコンポーネントは次の人によってはカーソルパスと区別できないシャフパスを表示装置に表示させ、該シャフコンポーネントは前記の人によってはカーソルパスと区別できない次のシャフパスを表示装置に表示させることと、
媒体のセグメントコンポーネントと、該セグメントコンポーネントは、表示信号がカーソル動作セグメントと次のカーソル動作セグメントを表すカーソルパスセグメントと次のカーソルパスセグメントを表示装置に表示させるように、データプロセッサに表示信号のカーソルコンポーネントと表示信号の次のカーソルコンポーネントをセグメント化させることと、を備えたプロダクト。
【発明の詳細な説明】
【０００１】
（背景）
本願は、米国を指定国とし２０００年５月３日に米国で出願された、国際出願ＰＣＴ　ＵＳ００２１５１８の利益を主張する。
【０００２】
プライバシープロダクトは、カーソル動作を制御する人はカーソル動作を認識できるが傍観者はシャフパスでのカーソル動作を認識できないように、情報システムにシャフパスを表示させる。
【０００３】
本発明は、例えばライフェルによる米国特許第３，６７１，６６８号および第３，７１８，７５９号に示された先行技術に対する進歩を提供する。
【０００４】
図１はプロダクトを概略的に示す。
【０００５】
図２は、カーソルを制御する入力装置のパスを示す。
【０００６】
図３は、セグメント化されたカーソルパスとシャフパスの表示を示す。
【０００７】
（発明の詳細な説明）
図１に略図で示されたプライバシープロダクトは、表示装置８１に信号接続（７２）されたデータプロセッサ７１とデータプロセッサに信号接続（５２）された入力装置５１とを有する情報システムと共に使用される。入力装置はカーソル動作を制御する人により操作される。
【０００８】
ここで、および本明細書全体にわたって、「信号接続される」とは、信号接続された装置間に信号が通過していることを示す。
【０００９】
入力装置は動作信号をデータプロセッサに送り、データプロセッサはその動作信号を、表示装置に送られる表示信号のカーソルコンポーネントを生成するために使用する。カーソルコンポーネントはカーソル動作を表わすカーソルパスを表示装置に表示させる。
【００１０】
プライバシープロダクトは、データプロセッサに信号接続（１４）されたコンピュータ可読信号担持媒体１１を有する。媒体は、データプロセッサにシャフコンポーネントを表示信号へ追加させるシャフコンポーネント１２を有している。シャフコンポーネントは、次の人によってはカーソルパスと区別できないシャフパスを表示装置に表示させる。
【００１１】
句「カーソルパスと区別できない」とは、シャフパスにもカーソルパスにも、制御する人以外の誰もがシャフパスおよびカーソルパスのどちらがカーソルパスであるかを区別できる、カーソル動作を制御する人以外の誰もが区別できる特性がないことを意味する。
【００１２】
情報システムはデータプロセッサに信号接続（６２）された次の入力装置６１を有することができ、次の入力装置は、次のカーソル動作を制御する次の人により操作される。次の入力装置は次の動作信号をデータプロセッサに送る。データプロセッサは動作信号を、表示装置に送られる表示信号の次のカーソルコンポーネントを生成するために使用する。信号の次のカーソルコンポーネントは、次のカーソル動作を表わす次のカーソルパスを表示装置に表示させる。
【００１３】
ここで、媒体のシャフコンポーネントはさらに、データプロセッサに、次のシャフコンポーネントを表示信号へ追加させる。次のシャフコンポーネントは、前記の人によってはカーソルパスと区別できない次のシャフパスを表示装置に表示させる。
【００１４】
データプロセッサに表示信号のカーソルコンポーネントをセグメント化させ、その結果、カーソルコンポーネントが、次の入力装置が作動している時にカーソルパスセグメントと次のカーソルパスセグメントとを表示装置に表示させる、媒体のセグメントコンポーネント１３もさらに存在し得る。
【００１５】
入力装置５１は図２に、データプロセッサに信号接続（５２Ａ）され、マウスパッド５４Ａの上を移動する、コンピュータマウス５１Ａとして示されている。ここで、マウスは、中心に向かって対角線上を進む（２１）ことにより始まり、向きを変えて対角線上を中心から遠ざかって進み（２２）、対角線上を戻って中心を通り（２３）、向きを変えて対角線上を中心から遠ざかって進む（２４）。
【００１６】
表示装置の画面８２の表示が図３に示される。画面上に符号２１についての第１のカーソル動作セグメントを表す第１のカーソルパスセグメント３１が、いくつかのシャフパス３１Ａ，３１Ｂ，３１Ｃに沿って表示されている。さらに、符号２２についての第２のカーソル動作セグメントを表す第２のカーソルパスセグメント３２が、いくつかのシャフパス３２Ａ，３２Ｂ，３２Ｃに沿って表示され、符号２３についての第３のカーソル動作セグメントを表す第３のカーソルパスセグメント３３が、いくつかのシャフパス３３Ａ，３３Ｂ，３３Ｃに沿って表示されている。
【００１７】
入力装置を制御する人は、入力装置の操作とカーソルパスセグメントとが一致するために、カーソルパスセグメントとシャフパスの中のどれがカーソル動作セグメントであるかを区別することができる。次の人は、カーソル動作を制御せず、シャフパスの中のカーソルパスセグメントを区別することができない。
【００１８】
対称的に、次の入力装置を制御する次の人は、次の入力装置の操作と次のパスセグメントとが一致するために、次のカーソルパスセグメントとすべてのシャフパスの中のどれが次のカーソル動作セグメントを表すかを区別することができる。前記の人は、カーソル動作を制御せず、すべてのシャフパスの中の次のカーソルパスセグメントを区別することができない。
【００１９】
上記の状況は「人」と「次の人」の交換に対して対称であるため、次のカーソルパスセグメントと次のシャフパスは図示されていない。図示されたパスは媒体のセグメントコンポーネントによりセグメント化されるが、カーソルパスがセグメント化されないように、該セグメントコンポーネントは解除することができる。セグメント化されていないカーソルパスがどういうものであるかは明らかなので、これについては図示しない。セグメントコンポーネントがない場合、シャフパスは図示すれば混乱となるであろう混乱（ｊｕｍｂｌｅ）を生成し得る。
【００２０】
カーソルパスの表示は、カーソルのみの表示であってもよいし、カーソルの動きを表わす線の表示であってもよいし、これらの組み合わせであってもよい。シャフパスの表示は、シャフカーソルのみの表示であってもよいし、シャフパスを含む線の表示であってもよいし、これらの組み合わせであってもよい。
【００２１】
図３では、表示されたカーソルは、表示された位置８６にちょうど入るところとして示されている（４１）。表示されたシャフカーソル４１Ａ，４１Ｂ，４１Ｃは、位置８５，８４，８３に入るところである。ここでもやはり、人は表示されたカーソルが位置に入るところであることを区別できるが、次の人はシャフの中のそれを区別できない。
【００２２】
媒体は、表示されたカーソルとシャフカーソルを、同じ速度でも異なる速度でもさせることができ、関係に従っておよびランダムに、表示されたカーソルとシャフカーソルの形を変化させることができる。カーソルの動きを制御する人は、カーソルの明滅と形の変化を制御することができる。
【００２３】
カーソルの明滅と形の変化が図３に示されている。カーソル４１は点灯している円であり、第１のシャフカーソル４１Ａは形が小さな円に変化して消滅しており、第２のシャフカーソル４１Ｂは形がより大きな円に変化して消滅しており、第３のシャフカーソル４１Ｃは形がより小さな円に変化して点灯している。
【００２４】
表示されたパスの任意のおよびすべての表示に、音を伴うことができる。明滅と形の変化を含む、カーソルパスの表示に伴う音は、カーソル動作を制御する人が制御することができる。音は媒体により引き起こすことができる。カーソルパスに伴う音に対応する触覚信号を、カーソル動作を制御する入力装置に送らせることができる。
【００２５】
人と、次の人との間の対称性は、複数の次の人のうちのすべてのペア間の対称性まで拡張される。各々は、別個の入力装置による別個の動きを制御する。各々は、別個の入力装置による別個のカーソルの明滅とカーソルの形の変化を制御することができる。各々の動作（ならびに存在する場合にはカーソルの明滅と形の変化）について、シャフコンポーネントは、シャフパス、カーソルとシャフカーソルの明滅、カーソルとシャフカーソルの形の変化、およびそれらの組み合わせの無限のバリエーションを生じさせることができる。
【００２６】
データプロセッサは特定目的のデータプロセッサであってもよいし、一般目的のデータプロセッサであってもよいし、交互の時間間隔でスタンドアロンおよびネットワークの一部であってもよい。
【００２７】
コンピュータ可読信号担持媒体は、送信信号、データ記憶媒体、および送信信号とデータ記憶媒体の組み合わせであり得る。
【００２８】
送信信号は、無線や、ワイヤ、ケーブルおよびファイバーを介したエネルギー伝送の種々のポイント・ツー・ポイントと放送形式のいずれであってもよい。信号のある部分は、送信信号のある形式で存在することができ、ある部分は、送信信号の第２の形式で存在することができ、またある部分は、送信信号の様々な組み合わせで存在することができる。
【００２９】
データ記憶媒体は、当該技術分野で周知の様々な機械的データ記憶媒体、電気的データ記憶媒体、磁気データ記憶媒体、光学データ記憶媒体、分子データ記憶媒体、原子データ記憶媒体、量子データ記憶媒体のいずれであってもよい。コンピュータ可読信号のある部分はデータ記憶媒体に存在することができ、ある部分は第２のデータ記憶媒体に存在することができ、ある部分は送信信号に存在することができ、ある部分は第２の送信信号に存在することができ、ある部分はデータ記憶媒体と送信信号の様々な組み合わせに存在することができる。
【００３０】
入力装置は従来のコンピュータマウスとして図示されているが、音により作動される装置を含めた、データプロセッサに信号接続され得る任意の入力装置を使用することができる。例えば、国際特許出願ＰＣＴＵＳ０００７５３８、米国特許出願第６０２１１４７１号および第６０２２６１８３号に開示された入力装置を使用することができる。
【００３１】
カーソルディスプレイプライバシープロダクトは、傍観者がさもなくば見ることができる、個人識別番号を始めとする個人情報を入力するのに特に有用である。いくつかの特定の出願が、国際特許出願ＰＣＴＵＳ００２１５１８および米国特許出願第６０２２６１８３号に開示されている。
【図面の簡単な説明】
【図１】プロダクトの略図。
【図２】カーソルを制御する入力装置のパス。
【図３】セグメント化されたカーソルパスとシャフパスの表示。
【図１】
2004512548.tif 000003
【国際公開パンフレット】
2004512548.tif 000004
2004512548.tif 000005
2004512548.tif 000006
2004512548.tif 000007
2004512548.tif 000008
2004512548.tif 000009
2004512548.tif 000010
2004512548.tif 000011
2004512548.tif 000012
2004512548.tif 000013
2004512548.tif 000014
2004512548.tif 000015
2004512548.tif 000016
【国際調査報告】
2004512548.tif 000017
2004512548.tif 000018